(57)【要約】【課題】緊急ニュース等で見逃した番組を特定し、放送局に再放送予定を問い合わせるメールを自動発信するシステムを提供する。【解決手段】ＤＴＶ受信機１２では、番組予約した番組に対するイベント編成変更情報を放送局からの放送受信しつつ監視し、ここで前記イベント編成変更情報が変化した場合には、放送局１１に対して、「いつ当該番組が再提供されるか」をネットワークインターフェースを介し質問し、放送局１１では、前記質問に対し「○月×日」という回答をＤＴＶ受信機１２に対し発信する。ＤＴＶ受信機１２では、この回答に従い、録画予約の変更などの制御を行う。【選択図】図１
2007235799.tif 000002
【特許請求の範囲】
【請求項１】
緊急ニュース等で見逃した番組の再提供情報を通知する番組再提供通知システムであって、番組と番組情報とを提供する番組提供手段と、前記番組提供手段からの番組と番組情報とを受信する番組受信手段と、前記番組受信手段と前記番組提供手段間でネットワークを介し情報を送受信する情報送受信手段と、前記情報送受信手段により入手した前記番組提供手段からの情報に基づき前記番組受信手段を制御する制御手段とを備えることを特徴とする番組再提供通知システム。
【請求項２】
前記番組提供手段からの番組情報としては番組のイベント編成変更情報を含むことを特徴とする請求項１記載の番組再提供通知システム。
【請求項３】
前記番組受信手段は、前記番組のイベント編成変更情報の変化を監視し、イベント編成更新情報が変化した場合に、前記情報送受信手段により前記番組提供手段に対し、イベント編成更新情報変化に関する情報提供を要求することを特徴とする請求項１記載の番組再提供通知システム。
【請求項４】
前記番組提供手段に対するイベント編成更新情報変化に関する情報提供の要求は、イベント編成更新に対して、更新前の番組が再提供される情報を含むことを特徴とする請求項３記載の番組再提供通知システム。
【請求項５】
前記番組提供手段に対するイベント編成更新情報変化に関する情報提供の要求に対して、前記情報送受信手段を介し前記番組受信手段に対して、情報提供を行うことを特徴とする請求項３記載の番組再提供通知システム。
【請求項６】
前記番組受信手段に対する情報提供は、前記イベント編成更新に対して、更新前の番組が再提供する情報を含むことを特徴とする請求項５記載の番組再提供通知システム。
【請求項７】
前記番組受信手段では、前記番組提供手段から更新前の番組が再提供される情報を入手し、前記制御手段により、当該再提供情報を提示することを特徴とする請求項６記載の番組再提供通知システム。
【請求項８】
前記再提供情報の提示としては、番組受信手段の画面に行うことを特徴とする請求項７記載の番組再提供通知システム。
【請求項９】
前記再提供情報の提示としては、番組受信手段に登録された連絡先に対して、情報を提示することを特徴とする請求項７記載の番組再提供通知システム。
【請求項１０】
前記連絡先としては、メールアドレスを含み、メールで携帯端末に対して情報を提示することを特徴とする請求項９記載の番組再提供通知システム。
【請求項１１】
前記番組受信手段では、前記番組提供手段から更新前の番組が再提供される情報を入手し、前記制御手段により、当該再提供情報に基づき録画予約を変更することを特徴とする請求項６記載の番組再提供通知システム。
【請求項１２】
前記制御手段による録画予約変更は、前記番組受信手段に接続された録画機器に対する制御を行うことを特徴とする請求項１１記載の番組再提供通知システム。
【請求項１３】
前記制御手段による録画予約変更は、前記番組受信手段の番組表に対する制御を行うことを特徴とする請求項１１記載の番組再提供通知システム。
【請求項１４】
前記番組受信手段の番組表に対する制御は、当該再提供番組に対しマーキングを行うことを特徴とする請求項１３記載の番組再提供通知システム。
【請求項１５】
前記番組提供手段と前記番組受信手段間とのイベント編成更新情報変化に関する情報の要求と提供に対して、情報プロトコルのフォーマットを定型化することを特徴とする請求項５記載の番組再提供通知システム。
【請求項１６】
前記情報プロトコルとして、変更前の番組情報と変更後の番組情報とを含むことを特徴とする請求項１５記載の番組再提供通知システム。
【請求項１７】
前記情報プロトコルにおける番組情報として、提供日と提供時間と提供番組名とを含むことを特徴とする請求項１６記載の番組再提供通知システム。
【請求項１８】
前記情報プロトコルにおける番組情報として、前記受信手段での管理番号をつけることを特徴とする請求項１６記載の番組再提供通知システム。
【発明の詳細な説明】
【技術分野】
【０００１】
本発明は、緊急ニュース等で見逃した番組の再提供情報を通知する番組再提供通知システムに関する。
【背景技術】
【０００２】
番組表サービス事業者が開設したサイトに、登録したユーザが随時サイトにリンクして、視聴した番組の確認、再放送日時の確認ができ、その情報をメール送信することも可能、というものがある（例えば特許文献１を参照）。
【０００３】
図１０は、背景技術を説明する図であり、以下、図１０を用いて背景技術に関して説明する。図１０において、１０１はサーバ、１０２はユーザ端末、１０３はインターネット、１０４は放送事業者である。
【０００４】
登録ユーザは随時サイトにリンクしてユーザが選択した番組を閲覧し、見た番組の確認、再放送番組のチャンネルおよび再放送日時の確認や見逃し番組の確認及び見たい番組の選択・指定等を行うことができる。この際、サーバ１０１は再放送番組や見逃した番組を自動的に他の番組と区別表示し、ユーザが見やすいようにする。また、サーバ１０１は見逃した番組の再放送が予定されているような場合は当該番組を指定（選択）していたユーザの端末１０２又は携帯電話宛てに再放送番組名、再放送時間、チャンネル等の再放送番組情報をメールで送信する。
【特許文献１】特開２００４−１２８６２０号公報
【発明の開示】
【発明が解決しようとする課題】
【０００５】
上記の背景技術では、見逃した番組を再視聴するに際し、番組表サービス事業者へのユーザ登録を行う必要があり、またユーザ登録後においてもユーザが随時サイトにリンクして、視聴した番組の確認、再放送日時の確認を行う必要があり、ユーザへの負担が大きいという課題がある。
【課題を解決するための手段】
【０００６】
上記の課題を解決するために本発明では、番組と番組情報とを提供する番組提供手段と、前記番組提供手段からの番組と番組情報とを受信する番組受信手段と、前記番組受信手段と前記番組提供手段間でネットワークを介し情報を送受信する情報送受信手段と、前記情報送受信手段により入手した前記番組提供手段からの情報に基づき前記番組受信手段を制御する制御手段とを有し、緊急ニュース等で番組編成が変更したことを番組提供手段からの番組情報を監視することで自動認識した後、変更された番組が再提供される日時などの情報を前記番組提供手段に対し自動的に要求する。さらに前記番組提供手段からの番組が再提供される情報を入手した後に、前記番組提供手段からの情報を入手できたことを自動的に提示する。
【０００７】
本構成により、見逃した番組が再提供される場合に、ユーザの負担なく再提供される番組を視聴できる。
【０００８】
また、番組の再提供される情報を入手したことを前記番組受信手段に画面表示したり、前記番組受信手段に番組の再提供される情報を入手したことを知らせる連絡先（メールアドレスなど）を登録しておき、番組の再提供される情報を入手後に登録された連絡先に連絡することで、見逃した番組を再視聴できることが容易にわかるので、操作性改善を行うことができる。
【０００９】
さらに前記番組受信手段で、前記番組提供手段から更新前の番組が再提供される情報を入手し、前記制御手段で当該再提供情報に基づき録画予約を自動的に変更することで、番組予約に対する操作性の改善を行うことができる。
【００１０】
なお、前記番組提供手段と前記番組受信手段間とのイベント編成更新情報変化に関する情報の要求と提供に対して、情報プロトコルのフォーマットを定型化することで、前記制御手段で当該再提供情報に基づき録画予約を自動的で変更することができる。
【００１１】
上記の情報プロトコルのフォーマットの定型化に際しては、情報プロトコルとして、変更前の番組情報と、変更後の番組情報と、提供日と、提供時間と、提供番組名とがあればよく、さらに前記受信手段から前記番組提供手段に対し番組再提供情報を要求する際に、当該情報に管理番号をつけて送信することで、前記番組提供手段から番組再提供情報を入手した時に、前記受信手段での当該番組情報を検索する処理の簡易化を行うことができる。
【発明の効果】
【００１２】
上記課題に対して、本発明では、番組受信機が、緊急ニュース等で見逃した番組を特定し、番組提供事業者（放送事業者）に番組再提供予定を問い合わせるメールを自動発信するので、ユーザは特別な操作をすることなく番組の再提供情報を知ることが可能となり、さらに番組再提供情報を番組提供事業者から入手した際に、ユーザに対して、番組再提供情報を入手したことを自動的に提示することで操作性の改善が可能となる。
【００１３】
また番組提供事業者との情報の送受信においても、情報プロトコルのフォーマットを定型化することで、録画予約など機器制御まで自動化でき、更なる操作性の改善を行うことが可能となる。
【発明を実施するための最良の形態】
【００１４】
以下、本発明に係る番組再提供通知システムの実施の形態について、図面に基づき詳細に説明する。
【００１５】
（実施の形態１）
本発明の実施の形態１に係る番組再提供通知システム動作の説明を、図面を用いて説明する。図１は、本発明の実施の形態の構成の一例であり、図２は、本発明の動作フローチャートであり、図３はＤＴＶ受信機の構成の一例である。
【００１６】
図１において、１１は番組提供を行う放送局、１２は番組を受信するＤＴＶ受信機である。
【００１７】
図３において、３０はアンテナ、３１はチューナ／復調処理部、３２はＴＤでコーダ、３３はＭＰＥＧデコーダ、３７はＯＳＤ生成回路、３８は合成回路である。また３４はＣＰＵ、３５は主記憶ＲＡＭ、３６はフラッシュメモリ（不揮発メモリ）、３９はＩＣカード、３１０はネットワークインターフェースである。
【００１８】
放送局１１は、緊急ニュース等で番組変更された場合、その番組変更情報を番組情報（ＳＩ情報）のイベント編成変更情報として送出する（ＡＲＩＢ  ＴＲ  Ｂ１５参照）。またＤＴＶ受信機１２では、番組予約（Ｓ２１）した番組に対するイベント編成変更情報を放送局からの放送受信しつつ監視する（Ｓ２２）。具体的には、ＳＩ情報（ＥＩＴ［ｐ／ｆ］）を監視する（ＡＲＩＢ  ＴＲ  Ｂ１５参照）。ここで前記イベント編成変更情報が変化した場合には、放送局１１に対して、「いつ当該番組が再提供されるか」と言う質問メールをＤＴＶ受信機１２のネットワークインターフェースを介し送付する（Ｓ２３）。放送局１１では、前記質問メールに対し「○月×日」という回答メールをＤＴＶ受信機１２に対し発信し、ＤＴＶ受信機１２では、この回答メールを受信する（Ｓ２４）。
【００１９】
図４において、ＤＴＶ受信機１２では、回答メールを受信したことを画面に表示し、ユーザに対し、回答メールが来た事を提示する。本図では、文字での提示を示したが、これはグラフィカルに提示することも考えられる。また質問メールを発信したときにも、ユーザに対して質問メールを発信したことを画面に表示することも考えられる。
【００２０】
図９において、ここでＤＴＶ受信機１２において、予め前記返信メールの転送メールアドレスをフラッシュメモリ３６に格納し登録しておくことで、前記回答メールを受信すると、この回答メールを転送先メールアドレスに転送する。転送メールを受信した場合には、出先からネットワークを介し録画機器の録画予約内容の変更を行うことも可能である。
【００２１】
（実施の形態２）
本発明の実施の形態２に係る番組再提供通知システム動作の説明を、図面を用いて説明する。  図５は、本発明の動作フローチャートである。
【００２２】
ＤＴＶ受信機１２では、番組予約（Ｓ５１）した番組に対するイベント編成変更情報を放送局からの放送受信しつつ監視する（Ｓ５２）。ここで前記イベント編成変更情報が変化した場合には、放送局１１に対して、「いつ当該番組が再提供されるか」と言う質問メールをＤＴＶ受信機１２のネットワークインターフェースを介し送付する（Ｓ５３）。放送局１１では、前記質問メールに対し「○月×日」という回答メールをＤＴＶ受信機１２に対し発信し、ＤＴＶ受信機１２では、この回答メールを受信する（Ｓ５４）。
【００２３】
ＤＴＶ受信機１２では、受信した回答メールの内容に従い、ＤＴＶ受信機１２の録画予約内容や、ＤＴＶ受信機１２に接続された録画機器に対する録画予約内容を変更する。例えば、リモコンなどの無線、ＩＥＥＥ１３９４などの有線で変更すればよい。
【００２４】
本発明の実施の形態１では、放送局１１とＤＴＶ受信機１２間でのメールの内容に関しては、特に規定していなかったが、本発明の実施の形態２では、放送局１１とＤＴＶ受信機１２間でのメールの内容に関してプロトコルを規定（プロトコルのフォーマットの定型化）することで録画予約の変更を自動的に行うことを可能とする。
【００２５】
図６に上記プロトコルの規定例を示す、この規定によれば、変更前の番組情報をＤＴＶ受信機１２から放送局１１に送付し、変更後の番組情報を同じフォーマットで放送局１１からＤＴＶ受信機１２に返信されるのでＤＴＶ受信機で自動的に録画予約変更情報の抽出が可能となる。ここで放送局１１においても、返信メール発信の自動化を行うことも可能である。
【００２６】
さらにＴＶでの管理番号を付加することで、ＤＴＶ受信機１２での録画予約変更処理を容易にすることが可能となる。これは、メールでの情報以外の詳細情報とメールとを容易にリンクできるからである。
【００２７】
さらに、図７のフローチャート、図８の表示例で示すように、ユーザインターフェース改善の観点で、ＤＴＶ受信機１２の番組表を表示する際に、本発明で再番組提供される番組をマーキングすることも、上記プロトコルを導入することで可能となる。
【００２８】
なお本発明では、ＤＴＶ放送でのイベント編成変更情報を用いて説明したがアナログＴＶ放送などへの応用も可能である。
【００２９】
具体的にはアナログＴＶ放送のＥＰＧや、インターネットで放送局１２のホームページや番組情報提供サイトにアクセスすることで、番組情報を取得できるので視聴したい番組の番組情報を関しすることで、イベント編成更新情報を認識できる。
【００３０】
例えば予約時の予約番組の番組情報（開始時間、終了時間、番組カテゴリ、番組名、主演者など）を入手し番組受信手段に記憶しておき、録画開始直前に予約した番組の番組情報をあらためて入手し、記憶しておいた番組情報とあらためて入手した番組情報とを比較することでイベント編成変更情報を認識できる。
【００３１】
ここでイベント編成変更情報を認識した後に、番組提供手段に質問メールを発信することで本発明を適用できる。
【００３２】
従って、本発明は、ＤＴＶ放送だけでなくアナログ放送や、インターネットにおける番組配信においても適用可能である。
【産業上の利用可能性】
【００３３】
本発明は、見逃した番組の再視聴や録画をユーザに負担なく自動化が可能となるので、番組提供および受信システム等に利用することができる。
【図面の簡単な説明】
【００３４】
【図１】本発明の実施の形態１に係る再提供通知システムの動作概要示すブロック図
【図２】本発明の実施の形態１に係る再提供通知システムの動作概要を説明するためのフローチャート
【図３】デジタルＴＶ受信機の構成の一例を示すブロック図
【図４】番組情報変更メール着信提示の一例を示す図
【図５】本発明の実施の形態２に係る再提供通知システムの動作概要を説明するためのフローチャート
【図６】本発明の実施の形態２に係る再提供通知システムの通知内容の一例を示す図
【図７】本発明の実施の形態１に係る再提供通知システムの動作概要の異なる一例を説明するためのフローチャート
【図８】ＥＰＧでの番組情報変更番組提示の一例を示す画面図
【図９】本発明の実施の形態１に係る再提供通知システムの動作概要の異なる一例を説明するためのフローチャート
【図１０】従来技術の一例を説明するためのブロック図
【符号の説明】
【００３５】
１１    放送局
１２    ＤＴＶ受信機
３０    アンテナ
３１    チューナ・復調
３２    ＴＳデコーダ
３３    ＭＰＥＧデコーダ
３４    ＣＰＵ
３５    ＲＡＭ
３６    フラッシュメモリ
３７    ＯＳＤ生成回路
３８    合成回路
３９    ＩＣカード
３１０    ネットワークインターフェース
１０１    サーバ
１０２    ユーザ端末
１０３    インターネット
１０４    放送事業者
【図１】
2007235799.tif 000003
【図２】
2007235799.tif 000004
【図３】
2007235799.tif 000005
【図４】
2007235799.tif 000006
【図５】
2007235799.tif 000007
【図６】
2007235799.tif 000008
【図７】
2007235799.tif 000009
【図８】
2007235799.tif 000010
【図９】
2007235799.tif 000011
【図１０】
2007235799.tif 000012